Podtech/llm-jp-corpus-v4-ja_patent huggingface dataset:
(57)【要約】【課題】従来の助手席側ドアミラーは死角が多く安全性に欠けるので高視認性のドアミラーを提供する。【解決手段】助手席側後方外側の視認性を上げる為にワンタッチスイッチで瞬時に向きを変え死角を写像し、離すと瞬時にもどるドアミラーにする。又は一枚のドアミラーに複数の鏡面を設けたり、湾曲面鏡を用いる等して広範囲な写像を実現することで危険な助手席側後方外側の死角を改善する。【選択図】図２
2008137622.tif 000002
【特許請求の範囲】
【請求項１】
一般道路及び構内を走行する乗用車を含む全ての車両に於いて、助手席側のドアミラーが、ハンドル部又は操作しやすい位置に装着されたワンタッチスイッチで瞬時に作動して死角部を写像しスイッチを離すと瞬時に元の位置に戻ることを特徴とする車両のドアミラー。
【請求項２】
一般道路及び構内を走行する乗用車を含む全ての車両に於いて、助手席側ドアミラーは、一枚で複数の鏡面を持つことで写像も複数可能となり又は湾曲面鏡により広範囲の写像が確認できる事を特徴とする車両のドアミラー。
【発明の詳細な説明】
【技術分野】
【０００１】  本発明は、一般道路及び構内を走行する車両のドアミラーに係り、特に死角の多い助手席側のドアミラーに高い視認性を持たせた高視認性ドアミラーに開する。
【背景技術】
【０００２】  現在乗用車を含む一般車両には、図１に示すように左右一対の勝手違いの同じ１及び２ドアミラーが装着されており、１運転席側ドアミラーは後方の写像範囲も広く高い視認性があり、後続車両を容易に視認できるが、２助手席側ドアミラーは位置の関係上写像範囲が内側になり、後方外側視界の死角が大きく後続車両が視認できない場合があり、安全上大きな問題になっている。
【発明の開示】
【発明が解決しようとする課題】
【０００３】  ところで、警察の交通安全の講習会等では、２助手席側ドアミラーは死角が多いので、あてにせず後ろを振り向き自分の目で確認することを仕方なく推奨している。【０００４】  この様な動作は前方視界に集中すべき筈が損なわれ、本来のバックミラーの機能としては不十分である。
【課題を解決するための手段】
【０００５】  上記課題を解決するために、本発明は、２助手席側ドアミラーの視界を広げる為、図２に示すように５可動式のドアミラーにする。３ハンドルには４ワンタッチスイッチが設けられていて押すと５可動式ドアミラーは運転者が前方から目をそらしている時間を出来るだけ少なくする為瞬時に視界Ｂを写像し、離すと瞬時に通常の視界Ａを写像する。【０００６】  又は、他の実施例として図３に示すように一枚のドアミラーで複数の視界Ａ及びＢを常に写像し、死角をできるだけ少なくする。
【発明の効果】
【０００７】  本発明によれば、図２に示すように視界Ａを見ながら４ワンタッチスイッチの操作で従来は死角の筈の視界Ｂを瞬時に確認でき、戻すと瞬時に通常視界Ａになる。そして、図３に示すように１枚のミラーに複数の鏡面を設け後方視界Ａ及びＢを常時写像することで高い視認性を得る。従って、助手席側への進路変更の際、後方外側視界の確認は後ろを振り向く事無くでき、より安全運転ができる。
【図面の簡単な説明】
【０００８】
【図１】従来のドアミラーの視界を説明する図
【図２】本発明に係る高視認性を説明する図
【図３】本発明に係る複数を写像可能にするドアミラー図
【符号の説明】
【０００９】１運転席側ドアミラー
２従来の助手席側ドアミラー
３車両のハンドル
４ドアミラー駆動用ワンタッチスイッチ
５本発明の視認性を向上させたドアミラー
６車両
【図１】
2008137622.tif 000003
【図２】
2008137622.tif 000004
【図３】
2008137622.tif 000005
(57)【要約】【課題】この発明は、太陽光線による車内の温度上昇と、霜や雪がフロントガラスに付着するのを防ぐ。【解決手段】撥水シートに複数の磁石をとりつけ、車フロントガラスの外側を覆うカバーである。【選択図】図３
2008137625.tif 000002
【特許請求の範囲】
【請求項１】
撥水シートの片面に複数の磁石を取り付け、金属製の車の車体に付くようにして、携帯できるようにしたフロントガラスカバー。
【発明の詳細な説明】
【発明の詳細な説明】
【０００１】  本発明は、シートの表側に磁石を取り付け、車の車体に付くようにして、フロントガラスの外側を覆うようにしたものである。また、本発明は、携帯することを前提にしているので使用しない時は車中に折りたたんで収納できる。
【背景技術】
【０００２】  従来、炎天下の車内の日よけはダッシュボードの上に日よけを置くことしかできなかった。また、霜や雪が付着した場合はブラシ等で取り除かなければならなかった。
【発明の開示】
【発明が解決しようとする課題】
【０００３】  本発明は、炎天下フロントガラスの外側に日よけとして取り付けることにより、太陽からの日差しを車外で遮断することにより車内温度の上昇を遅らせることができる。また、霜や雪がフロントガラスに付着することにより運転のさまたげとなることを防ぐことができる。
【課題を解決するための手段】
【０００４】  このように、シートに磁石を付け車の外側からフロントガラスにカバーを掛けるようにした道具である。
【発明の効果】
【０００５】  したがって、携帯できるこのシートは、屋根のない屋外で日差しの強い時の車内の温度上昇を防ぐとともに、霜や雪がフロントガラスに付着して運転の妨げになることを防ぐことが出来る。
【発明を実施するための最良の形態】
【０００６】  以下、本発明の実施の形態について説明をする。
（イ）撥水シート（１）に複数の磁石（２）を取り付ける。
本発明は以上の構成からなる、車フロントガラスのカバーである。以下、使用方法について説明する。
車の屋根に片側の磁石（２）を左右広げて取り付ける。
フロントガラスに撥水シート（１）を広げ、もう一方の磁石（２）をフロントガラス下部の車ボンネット左右に取り付ける。
したがって、撥水シート（１）により、炎天下の太陽光線を防ぐとともに、霜や雪がフロントガラスに付着することを防ぐことができる。また車で携帯できる形状のため必要に応じてどこでも簡単に取り付けすることができる。
【図面の簡単な説明】
【０００７】
【図１】  本発明の正面図
【図２】  本発明の斜視図
【図３】  本発明の使用説明図
【符号の説明】
【０００８】  １は撥水シート
２は磁石
【図１】
2008137625.tif 000003
【図２】
2008137625.tif 000004
【図３】
2008137625.tif 000005
(57)【要約】      （修正有）【課題】健康維持組成物の提供。【解決手段】石英閃緑玲岩（医王石・戸室石）の無機酸水溶液に溶解させて得た多種の金属塩及び非金属塩を主成分として含有する液状無機質添加剤。及び石英閃緑玲岩（医王石・戸室石）と砂金、金箔との混合の含ミネラル溶液。これを水に添加することにより、有機物の吸着分解等により透明度を増すと同時に多種のミネラル含量にて健康維持、植物の成長促進、農薬の分解、生物全体（人間・動物・植物）に生命力を与える。多種多量のミネラルを含む生命保持ミネラル剤。【選択図】なし【特許請求の範囲】
【請求項１】
石英閃緑玲岩（医王石、戸室石）無機酸水溶液に溶解させて得た多種の金属塩及び非金属塩を主成分として含有する液状純無機質添加剤からなることを特徴とする動植物の成育促進、電磁波に依る、病気の予防治療剤。
【請求項２】
石英閃緑玲岩（医王石、戸室石）の含ミネラル群溶液・金の主成分が、１ｌに／金０．１〜５ｇ、アルミニウム１〜２０ｇ、鉄１〜２０ｇ、マグネシウム１〜１５ｇ、カリウム１〜５ｇを含有し、その比重は１．１〜１．５、ＰＨが０．１〜２．０である。
【請求項３】
石英閃緑玲岩（医王石、戸室石）、砂金、金箔との混合の含ミネラル群溶液。
【発明の詳細な説明】
【技術分野】
【０００１】この発明は、生命保持添加剤組成物に関し更に詳細には、鉱物抽出成分を有効成分とする生命保持組成物に関する。
【背景技術】
【従来の技術およびその課題】
【０００２】近年、生活環境や意識の変化にともない、医療技術、医薬品等の著しい進歩にも関わらず健者〜未病〜病人へ移り行く時間は早まり若年層患者は急上昇である。
【発明の開示】
【０００３】身の回りにおいても病気の防止が強く要求されており現在ではガン・糖尿病・心臓病（生活習慣病）等も非常に若年層にまで至り人間以外でも鳥インフルエンザ、狂牛病等問題の解決も提案されている。
【課題を解決するための手段】
【０００４】  従来、健康維持方法とは云わず身体に異常が起きてから病院・薬局で対応していたのが現状です。病気を治すのではなく病気に成らない私生活に本発明は石英閃緑玲岩鉱物に無機酸生命保持添加剤を提供するものである。
【発明を実施するための最良の形態】
【０００５】  ▲１▼多元素鉱物であること。すなわち、ケイ酸塩鉱物を石基として、多種類の元素化合物が斑晶的に入り交じり一般造鉱物に比較して、その質量共に多い複雑な元素組成を示していること。
▲２▼“戸室石“が元々海底堆積物（地向斜）に由来することから、比較的水溶性が強く、電解質・弱電解質コロイド分散系として水溶し易い特色がある。
▲３▼人畜無害であること。【０００６】「実施形態の効果」
この実施形態によれば、近代医学の進歩により大半の方が病気に掛ってから病院へ行けば良いと思っています、健康な身体を保つには日常の生活環境を良くしなければならない、生命を保つには、第一に空気、第二に水、第三良い環境、鉱物抽出成分を有効成分とする。
人体に対する薬効作用
石英閃緑玲岩（医王石、戸室石）は、有効良質のミネラルは、健康確保（体質改善）に必要の要素であるばかりでなく、体内酵素機能の活性化による代謝の亢進や公害汚染の細胞洗浄等により、難治疾患の著しい好転を示し、優れた医学的応用価値のあることを認める。
医薬品増量剤としての効力
▲１▼人体に必須の微量多元素の補給
石英閃緑玲岩（医王石、戸室石）は、良質のミネラルをバランスよく含有している。従って増量剤として用いるならば、人体の発育生存に必要な無機栄養剤としてすばらしい効果をあらわす。故に、本体の薬効も相乗的に増加すると推定される。
▲２▼有機物質の中和・排泄
石英閃緑玲岩（医王石、戸室石）は、多元素間の力・触媒作用によって、有機物質（有毒重金属類を含む）を中和・分解し、利尿促進に関連して細胞の洗浄作用がある。すなわち薬害防止作用が認められる有効増量剤といえる。
2008137984.tif 000002
戸室石「赤」は上記の他、下記のような成分がある。「青」も本表とほぼ同程度に近い分析数値である。
2008137984.tif 000003
▲３▼食物の防腐作用
石英閃緑玲岩（医王石、戸室石）は、溶液において物理的・分子構造上酸素の放出が多く、食物の防腐及び腐敗菌の増殖阻止作用がある。故に、整腸・中毒防止の認められる有効増量剤といえる。
▲４▼ＰＨの調節作用
石英閃緑玲岩（医王石、戸室石）は、多元素による緩衡作用により、薬剤とともに飲用後、体内においてＰＨの恒常を調節する。故に、液体の酸性化を防止すると認められる有効増量剤といえる。
▲５▼その他
有害重金属及び農薬有機塩素の分解
（１）重金属Ｃｄ（カドミウム）
試験液は、脱塩水にＣａ（ＣＨ３Ｃ０Ｏ）２・２Ｈ２Ｏを加え、Ｃｄ１．１５ｐｐｍ液とし、検水２００ｍｌに医王元素２０ｇを添加、２０分攪拌静置し、その上澄み液を測定したもの。
2008137984.tif 000004
その他、アンモニア、亜硝酸性窒素、遊離性塩素、シアン、ｅｔｃ．の化合物の吸着作用が認められた。
（２）ドリン系農薬
試験液は、水１００ｍｌにドリン系農薬を加え、その液のドリン含有量を０．１ｐｐｍに調整、医王元素１０ｇを添加し、２０分攪拌静置し、その上澄み液を測定したもの。
2008137984.tif 000005
(57)【要約】【課題】用途がなかった残材や間伐材などを一層有効に利用することができる樹脂成形品を提供する。【解決手段】樹脂成形品１を、複数の木片２により形成された芯材３と、この芯材３の周囲を覆う樹脂４とから構成する。【選択図】図１
2008137262.tif 000002
【特許請求の範囲】
【請求項１】
複数の木片により形成された芯材と、
この芯材の周囲を覆う樹脂とから構成されていることを特徴とする樹脂成形品。
【発明の詳細な説明】
【技術分野】
【０００１】
本発明は、用途がなかった残材や間伐材などを有効に利用することができる樹脂成形品に関する。
【背景技術】
【０００２】
従来より、原木から柱材や板材を切り出す際に残る残材や間伐材などは、割り箸用の材料として利用されている（例えば、特許文献１参照）。
【特許文献１】特開平８−３１８５１０号公報
【発明の開示】
【発明が解決しようとする課題】
【０００３】
残材や間伐材は、上記したように割り箸用の材料として利用されたり、或いは、建築用の桟木として利用されている。しかし、その使用量が限られており、利用されずに廃棄される場合も多い。また、ある程度の厚さや大きさを有しない残材や間伐材は、割り箸や桟木の材料として利用することができない。
【０００４】
本発明は、上記した事情に鑑みてなされたものであり、その目的は、用途がなかった残材や間伐材などを一層有効に利用することができる樹脂成形品を提供することにある。
【課題を解決するための手段】
【０００５】
本発明の樹脂成形品は、複数の木片により形成された芯材と、この芯材の周囲を覆う樹脂とから構成されていることを特徴とする。
【発明の効果】
【０００６】
本発明の樹脂成形品によれば、芯材を形成する木片として残材や間伐材などを用いることにより、用途がなかった残材や間伐材などを一層有効に利用することができる。
【発明を実施するための最良の形態】
【０００７】
以下、本発明の一実施形態について図面を参照して説明する。図１に示すように、樹脂成形品１は、複数の木片２により形成された芯材３と、この芯材３の周囲を覆う樹脂４とから構成されており、全体として断面矩形の角棒状をなす。
【０００８】
次に、この樹脂成形品１を製造するための製造装置５について図２を参照して説明する。製造装置５は、送り出し機６と、圧縮ローラ部７と、絞り込み型８と、成形機９と、第１サイジング部１０と、第２サイジング部１１と、引き取り機１２と、切断機１３とを備えて構成されている。
送り出し機６は、原木から柱材や板材を切り出す際に残る残材や間伐材などから得られる複数の木片２を、ローラ１４により圧縮ローラ部７へ送り出す。圧縮ローラ部７は、送り出し機６から送り出された複数の木片２を、ローラ１５により圧縮しながら絞り込み型８へ送り出す。絞り込み型８は、圧縮ローラ部７から送り出された複数の木片２を絞り込んで芯材３を形成し、成形機９へ送り出す。
【０００９】
成形機９は、木材絞り込み型１６と、樹脂成形型１７と、製品成形型１８と、シリンダ部１９とを備えて構成されている。シリンダ部１９内には、スクリュー２０が設けられており、シリンダ部１９内で加熱された樹脂材料が、スクリュー２０の回転により混練されながら樹脂成形型１７内に射出されるようになっている。
この成形機９は、上記した絞り込み型８から送り出された芯材３を、木材絞り込み型１６により再度絞り込み、その後、樹脂成形型１７において芯材３の周囲を囲むように樹脂材料を射出して中間物を形成する。そして、周囲の樹脂材料が固まっていない状態の中間物を、製品成形型１８を通して第１サイジング部１０に送り出す。
【００１０】
第１サイジング部１０は、第１の金型２１を備えており、成形機９から送り出された中間物を第１の金型２１に通すことにより、中間物の樹脂材料を冷却しながら外形を整える。第２サイジング部１１は、冷却機として機能するものであり、例えば冷却槽（水槽）から構成されている。また、第２サイジング部１１は、第２の金型２２を備えており、第１サイジング部１０から送り出された中間物を第２の金型２２に通すことにより、中間物の外形を所定の大きさに整える。そして、この中間物を冷却槽に通すことにより中間物の樹脂材料を完全に固め、芯材３の周囲を覆う樹脂４を形成する。
【００１１】
引き取り機１２は、第２サイジング部１１から中間物を引き出して、切断機１３に送り出す。切断機１３は、引き取り機１２から送り出された中間物を所定の長さに切断し、これにより、図１に示す樹脂成形品１が製造される。
【００１２】
以上に説明したように本実施形態によれば、芯材３を形成する木片２として残材や間伐材などを用いることにより、用途がなかった残材や間伐材などを一層有効に利用することができる。
上記の樹脂成形品１は、例えば屋根の桟木、笠木、垂木などの建築用資材として使用することができる。また、柵などにも使用することができる。
【００１３】
なお、本発明は上記した一実施形態に限定されるものではなく、例えば、芯材３を形成する木片２としては、断面丸形状や三角形状などの様々な形状の木片を使用することができる。また、加飾ローラなどを用いて、樹脂４の周囲に木目模様、幾何学模様などを形成するようにしても良い。樹脂４に木粉や間伐材の根や葉を細かく砕いたものを混入するようにしても良い。また、樹脂４としては、廃棄された樹脂を用いることもできる。
【図面の簡単な説明】
【００１４】
【図１】本発明の一実施形態を示すものであり、樹脂成形品の外観を示す斜視図
【図２】樹脂成形品を製造するための製造装置を概略的に示す図
【符号の説明】
【００１５】
図面中、１は樹脂成形品、２は木片、３は芯材、４は樹脂を示す。
【図１】
2008137262.tif 000003
【図２】
2008137262.tif 000004
(57)【要約】      （修正有）【課題】溶接作業におけるアーク光から目を保護したい。また野外スポーツで太陽による目のくらみをなくしたい。【解決手段】コンタクトレンズの内部に太陽電池と液晶を直列にした回路を平行に隙間なく並べることにより、強い光を受けたときに太陽電池から発生する電圧で液晶の素子を動かし、遮光することにより目のくらみを防ぐ。さらに平行な並びは光の回折効果をおこし、網膜への強い光の集中を防ぐ。【選択図】図１
2008287203.tif 000002
【特許請求の範囲】
【請求項１】
コンタクトレンズの内部に太陽電池と液晶を直列に接続し、それを隙間なく平行に並べることにより、急激な光を受けた場合に太陽電池から発生する電圧で液晶を通過する光の量を制限し、急激な光から網膜を保護する装置。
【発明の詳細な説明】
【技術分野】
【０００１】  溶接作業や野外スポーツにおける、人体の目の網膜を保護する用具に関する技術である。
【背景技術】
【０００２】  太陽の光を直接見たり、溶接作業におけるアーク光を見たりする場合にはサングラスや保護めがねを装着したり、太陽電池式の遮光ガラスのついた保護面を使用していた。
【発明の詳細な説明】
【０００３】  従来のサングラス等のメガネを使用する方法では強い光を見た場合には目がくらむのを防ぐ効果があるものの、通常の光では暗すぎて細かい文字などが見えず、一度はずす必要があるため作業性が悪かった。
【０００４】  遮光ガラス付きの保護面を使用した場合はガラス面の大きさが決まっていて周囲の様子がわからず危険がせまっていても気がつくことができなかった。また溶接をした場合はそのヒューム煙によってガラス面がくもり、見えにくくなって充分な効果をあげることができなかった。
【０００５】  コンタクトレンズに瞬間的に遮光機能がついた場合は、溶接作業において急にアーク光を見た場合でも目がくらむことはない。また瞬きをしたときにコンタクトレンズ面が涙で洗浄されるために、つねにきれいな表面を保つことができる。
【０００６】  同様に野球などの野外スポーツでボールを追うときに太陽の光を見た場合に上記のような機能のついたコンタクトレンズがあれば、太陽の光で目がくらむことなくボールを追うことができる。
【０００７】  コンタクトレンズに瞬間的に遮光機能をつけるために、太陽電池に直列に液晶を接続する。これは液晶は電圧がかかると、わずかな電流で内部の素子が通過する光をさえぎるので、面積の小さい太陽電池でも充分に遮光することができるためである。
【０００８】  太陽電池と液晶を平行に並べたのは、光の回折現象により網膜に強い光が集中することを防ぐ光への保護機能をより高めると共に、太陽電池の面積を充分に確保し、さらに現在の半導体印刷技術によって安価に回路を形成するためである。
【発明の効果】
【０００９】  溶接作業における目の保護を充分に行うことができた。また野外スポーツにおける太陽光による目のくらみを防止することができた。
【技術的考察】
【００１０】  現在の半導体生成技術を使用すればμメートル単位で太陽電池も液晶も印刷による方法で製作することができるので、大量に安く供給でき、１００円ショップに並べることも可能である。レンズ状に湾曲する半導体も薄膜なので製作可能である。
【利用分野】
【００１１】  鉄工所における仮付け溶接作業、野外スポーツ特に野球やラグビー、テニスなど太陽光を直接見る機会のある運動分野。
【図面の簡単な説明】
【００１２】
【図１】平面図
【図２】断面図
【符号の説明】
【００１３】１．太陽電池
２．液晶
３．コンタクトレンズの透明部分
４．太陽電池と液晶の絶縁部分
【００１４】４．太陽電池と液晶部分
５．コンタクトレンズの透明部分
【図１】
2008287203.tif 000003
【図２】
2008287203.tif 000004
(57)【要約】【課題】個人が所属する組織の一員であることのプライドを自覚させ、第三者に信頼感を与える効果がある標章入り記名箋の提供を目的とする。【解決手段】自己の所有物に所有者を明示する記名箋であって、所有者が所属する組織を示す標章と、所有者の所属先記載欄と、所有者名記載欄と、前記組織と関連付けた所有者の情報コード又は情報タグとを有していることを特徴とする。【選択図】  図１
2008287208.tif 000002
【特許請求の範囲】
【請求項１】
自己の所有物に所有者を明示する記名箋であって、
所有者が所属する組織を示す標章と、所有者の所属先記載欄と、所有者名記載欄と、前記組織と関連付けた所有者の情報コード又は情報タグとを有していることを特徴とする標章入り記名箋。
【請求項２】
裏面に接着層とその上に離型紙を貼付してあることを特徴とする請求項１記載の標章入り記名箋。
【発明の詳細な説明】
【技術分野】
【０００１】
この考案は、学校、団体、企業等に所属する個人の所有物に識別表示として貼付又は取り付ける記名箋に関する。
【背景技術】
【０００２】
学校に新しく入学した学生、学校に新しく着任した教員、企業や団体に新しく入社、加入したものは個人の所有物を識別するために個人名を記述する必要が出てくる。
従来は単に所有物に自己の氏名を記述するものであった。
それでは新しい組織への帰属意識に欠ける問題がある。
【０００３】
登録実用新案第３０４９１２３号公報には、個人のロゴマークと名前を印刷したシールの提供を開示するが個人の所属に対するプライドや帰属を意識させるものではない。
【０００４】
【特許文献１】登録実用新案第３０４９１２３号公報
【発明の開示】
【発明が解決しようとする課題】
【０００５】
この考案は、個人が所属する組織の一員であることのプライドを自覚させ、第三者に信頼感を与える効果がある標章入り記名箋の提供を目的とする。
【課題を解決するための手段】
【０００６】
本考案に係る標章入り記名箋は、自己の所有物に所有者を明示する記名箋であって、所有者が所属する組織を示す標章と、所有者の所属先記載欄と、所有者名記載欄と、前記組織と関連付けた所有者の情報コード又は情報タグとを有していることを特徴とする。
【０００７】
ここで、所有者が所属する組織を示す標章とは、いわゆるロゴやマーク等をいい、学校にあっては校章が代表例であり、企業にあってはハウスマークが代表例であり、団体にあっては団体記章が代表例である。
また、所有者の情報コードとは例えば所有者情報を示すバーコード等をいい、情報タグとは例えばＩＣチップ等の電子情報要素をいう。
これらの情報コード又は情報タグはその個人が所属する組織が開講する授業への出欠、行事への参加、不参加等、その組織において電子化された各種システムの管理に必要な入力信号として活用できる。
【０００８】
所有者の所属記載欄と所有者名記載欄は各自が記述するものでも印刷するものでもよい。
【０００９】
標章入り記名箋は、裏面に接着層とその上に離型紙を貼付してあるとこの離型紙を剥がすだけで各種所有物に貼り付けることができる。
標章入り記名箋は組織にて表示色が定められている場合には記名箋をその所定の表示色で表現できるのもよい。
また、標章入り記名箋はラミネート包装してもよく、樹脂製にしてキーホルダーに取り付けてもよく、可撓性のある樹脂製にして自転車等に取り付けあるいは貼り付け、識別表示にしてもよい。
【発明の効果】
【００１０】
本考案においては、個人の所有物にその個人が所属する組織を示す標章を表示した記名箋を貼付又は取り付けることにより、本人がその組織に所属していることの自覚を促し、プライドの自覚につながるとともに、その個人の行動に慎重と気品とを促す。
また、本考案に係る記名箋を貼付又は取り付けた所有物を持ち歩く個人を見た第三者には信頼や尊敬を与える効果がある。
【発明を実施するための最良の形態】
【００１１】
図１及び図２に本考案に係る標章入り記名箋の例を示し、大きさは貼付又は取り付ける所有物の大きさを考慮して設定され、形状も四角形に限定されず円形、楕円形、ひし形等でもよい。
図１は横書きの例で図２は縦書きの例である。
標章入り記名箋１０は表面に組織を示す標章１と所属記載欄２と所有者名記載欄３と情報コード又は情報タグ４を有している。
標章１は学校ならば校章、企業ならばハウスマーク等、第三者にも認識できるようなロゴやマークが好ましい。
所属記載欄２はその所有物の所有者が所属する組織名であったり、さらには組織の内に位置付けされた学科、学年、部署等であってもよく、印刷しても記述してもよい。
【００１２】
所有者名記載欄３は個人の氏名を記述する欄であるが、所有者個人を示すものであればニックネーム等であってもよい。
【００１３】
情報コード又は情報タグはバーコードやＩＣチップでよく、所有者がこれを読み取り機にかざすだけで出欠や参加、不参加のシステム管理に活用できる。
例えば、個人の所有するカバンやバックあるいはテキスト等に本考案に係る記名箋を貼付してあると、これにて出席者や参加者の認証ができるので改めて出欠をとったり、パソコン等にキーボード入力しなくても容易に電子情報として管理システムに反映できる。
【図面の簡単な説明】
【００１４】
【図１】横書きの標章入り記名箋の例を示す。
【図２】縦書きの標章入り記名箋の例を示す。
【符号の説明】
【００１５】
１      標章
２      所属記載欄
３      所有者名記載欄
４      情報コード又は情報タグ
１０    標章入り記名箋
【図１】
2008287208.tif 000003
【図２】
2008287208.tif 000004
(57)【要約】【課題】脳機能活性化補助用具は、運動、娯楽、健康目的、リハビリに有用であるが、寝たきりの患者や指先が俊敏に動かない患者に不向きであるものが多く、また、脳を活性化させるために簡単な計算や暗記といった学習の類を取り入れたものが多く飽きやすかった。【解決手段】頭部装着型映像表示装置に、映像反転機能または映像を傾ける機能のどちらか、または両方を加えることによって、装着者は行為に伴う視覚情報のイメージと、映像から得られる視覚情報に大きな矛盾が生じることとなり、そのギャップを埋めるために脳が活性化する。また、非日常的な視覚情報であるので、好奇心を高め、集中力を向上し、飽きがこない。さらに、寝たきりの患者や指先が俊敏に動かない患者であっても、腕を伸ばすなどの簡単な作業によってこの効果を得ることができる【選択図】図１
2008287202.tif 000002
【特許請求の範囲】
【請求項１】
眼鏡型あるいはゴーグル型あるいはヘルメット型の形状を有する頭部装着型映像表示装置に於いて、撮影している映像の角度を自由に傾けて表示する機能あるいは、撮影している映像を上下または左右あるいは上下左右を反転して表示する機能のどちらか一方か両方の機能を有することを特徴とする頭部装着型映像表示装置。
【請求項２】
前記頭部装着型映像表示装置に於ける外部映像を撮影するモニターは、装着時に装着者の前後左右に向けて固定し、撮影できるモニターであることを特徴とする請求項１記載の頭部装着型映像表示装置。
【発明の詳細な説明】
【技術分野】
【０００１】  この発明は、眼鏡型あるいはゴーグル型あるいはヘルメット型の形状を有する頭部装着型映像表示装置を利用した脳機能活性化補助用具に関する。
【背景技術】
【０００２】  従来の頭部装着型映像表示装置は各種提案されているが、脳機能活性化を目的としたものはなく、鑑賞用や軍事向けに留まっている。しかし、脳機能活性化補助用具は、運動や娯楽、健康目的、リハビリに有用であり、ゲームなど各種様々な製品が開発されている。
【発明の開示】
【発明が解決しようとする課題】
【０００３】しかしながら、以上の技術によれば、寝たきりの患者や指先が俊敏に動かない患者に不向きであるものが多く、また、脳を活性化させるために簡単な計算や暗記といった学習の類を取り入れたものが多く飽きやすかった。
そこで、この発明は、運動、娯楽、健康目的、リハビリにいつでもどこでも単純な作業活動でありながら飽きずに持続でき、なおかつ脳を活性化させることにより、思考力、集中力、反射神経を高め、老化を防止できる脳機能活性化補助用具を提供することを課題とする。
【課題を解決するための手段】
【０００４】  以上の課題を解決するために、第一発明は、眼鏡型あるいはゴーグル型あるいはヘルメット型の形状を有する頭部装着型映像表示装置に於いて、撮影している映像の角度を自由に傾けて表示する機能あるいは、撮影している映像を上下または左右あるいは上下左右を反転して表示する機能のどちらか一方か両方の機能を有することを特徴とする頭部装着型映像表示装置。
また、第二発明は、前記頭部装着型映像表示装置に於ける外部映像を撮影するモニターは、装着時に装着者の前後左右に向けて固定し、撮影できるモニターであることを特徴とする頭部装着型映像表示装置。
【発明の効果】
【０００５】  第一発明、または第二発明によれば、装着したカメラによる外部映像に変化を加えた映像を頭部装着型映像表示装置に表示するため、装着者は行為に伴う視覚情報のイメージと、映像から得られる視覚情報に大きな矛盾が生じることとなり、そのギャップを埋めるために脳が活性化する。また、非日常的な視覚情報であるので、好奇心を高め、集中力を向上し、飽きがこない。さらに、寝たきりの患者や指先が俊敏に動かない患者であっても、腕を伸ばすなどの簡単な作業によってこの効果を得ることができる。
【発明を実施するための最良の形態】
【０００６】  この発明の一実施形態を、図１に示す。
頭部装着型映像表示装置の本体Ａは眼鏡型頭部装着型映像表示装置であり、この本体Ａの内部に映像を編集加工する処理装置１０１、バッテリー１０２が設けられており、本体Ａ装着時に目の前になる部位２箇所に映像表示部１０３が設けられている。また、本体Ａのサイドに外部映像を上下に反転する信号を送るボタン１０４、左右に反転する信号を送るボタン１０５、上下左右に反転する信号を送るボタン１０６、外部映像を傾けるダイヤル１０７が設けられている。外部映像を電気信号で送るコード１０８で繋がれた本体Ｂは、外部撮影用カメラであり、固定用のクリップ１０９が設けられている。【０００７】「実施形態の効果」
この実施形態によれば、外部映像撮影用カメラＢがクリップ１０９で固定できることにより、帽子やシャツなどにも固定可能であり、装着者の前後左右どの方角にも対応することができるため、慣れにくく飽きがこない。また、映像反転ボタンを上下反転ボタン１０４、左右反転ボタン１０５、上下左右反転ボタン１０６に別けたために外部映像処理装置１０１にかかる負担が軽くなる。【０００８】「他の実施形態」
図１の実施形態では、外部映像撮影用カメラＢはコード１０８に繋がっていたが、他の実施形態では、外部映像撮影用カメラＢは電波によって外部映像情報を送信するものでも良い。
【図面の簡単な説明】
【０００９】
【図１】この発明の一実施形態を示す斜視図である。
【図２】従来技術を示す斜視図である。
【符号の説明】
【００１０】Ａ  頭部装着型映像表示装置
１０１  処理装置
１０２  バッテリー
１０３  映像表示部
１０４  上下反転ボタン
１０５  左右反転ボタン
１０６  上下左右反転ボタン
１０７  外部映像を傾けるネジ
１０８  コード
Ｂ  撮影用カメラ
１０９  固定用クリップ
【図１】
2008287202.tif 000003
【図２】
2008287202.tif 000004
(57)【要約】【課題】本システムは、Ｗｅｂアプリケーションの形態をとっており、利用者とサーバ間の通信はＨＴＴPプロトコルによるものでる。利用者はＰＣ上のＷｅｂブラウザを用いて捜査を行う。しかし、Ｗｅｂブラウザはインターフェイスの特性として、「リンクのクリック」と「キーワードの入力」しかできないため、本来ＰＣが備えているファイル操作用のインターフェイスとしては機能不足である。【解決手段】本システムのサーバに対してサーバークライアントアプリケーションとして動作するファイルマネージャアプリケーションを作成し利用者に提供する。このアプリケーションは「キーワードによる全文検索」「ファイルマネージャ上からのアプリケーション機能」「ファイルマネージャ上で行った編集、ファイル名変更、削除などの操作をファイル情報管理データベースへ即時反映させる機能」を持たせ本システムの利便性をさらに向上させる。【選択図】図１
2008287539.tif 000002
【特許請求の範囲】
【請求項１】
本発明は利用者がWeb上にアップロードしたファイルを、別の利用者が文書内容も含めて検索しダウンロードできるシステムであり、アップロードの際にファイル形式をHTML方式に変換することと、サーバが文書ファイルを検索するための情報をタイトル及び本文から取り出し蓄積することと、キーワードによって他の利用者がそのファイルを文書内容も含めて検索できることと、サーバがそのキーワードを元に抽出したファイルをリスト化することと、利用者がそのリストから選択してダウンロードすることが可能であることを特徴とする、ドキュメントの全文を検索範囲とするファイル検索システム。
【発明の詳細な説明】
【技術分野】
【０００１】
本発明は、Webアプリケーションに関して、ドキュメントの全文検索によるファイル検索システムに関する。
【背景技術】
【０００２】
従来ローカルエリアネットワークで利用されているファイル共有は、基本的に検索機能が提供されていない。使えるのはファイル名による検索程度であり、ファイルの内容まで検索することはできない。
【発明の開示】
【発明が解決しようとする課題】
【０００３】
従来、ローカルエリアネットワークで利用されているファイル共有は、基本的に検索機能が提供されていない。使えるのはファイル名による検索程度である。これは目的とするファイルの名前がその内容と一致し、なおかつ明確な場合のみ有効であるが、文書ファイルの内容について検索を行うことはできず利便性に欠ける。
【０００４】
本システムは、共有用としてアップロードされた文書ファイルに書かれた本文に対して全文検索を行うことで、内容から目的とするファイルを探し出すことを可能にするものである。なお、検索の対象となるファイル形式はWordドキュメント（米国Microsoft Corporationの登録商標）Excelシート（米国Microsoft Corporationの登録商標）PowerPointプレゼンテーション（米国Microsoft Corporationの登録商標）アクロバットPDF（アドビシステムズ社の登録商標）HTML、プレーンテキストである。
【課題を解決するための手段】
【０００５】
上記課題を解決するために本発明「ドキュメントの全文検索によるファイル検索システム」は、利用者がファイルをサーバにアップロードするさいに、サーバが文書ファイルを検索するための情報を取り出し蓄積することで、文書内容からもファイルの検索が可能になる。
本システムのプログラムはＰＨＰ言語で記述されており、Apache-PHP上で動作する。また検索に用いられる文書ファイル情報はオープンソースのデータベース管理システムMySQＬによってデータベースへファイル名と関連付けて蓄積される。なお本システムにおいて利用するMySQLは、オープンソースの組み込み型の全文検索エンジンのsennaにより全文検索機能が付加されており、これによって文書ファイルより抽出・蓄積された文章データについて全文検索を行うことが可能となる。
【発明の効果】
【０００６】
本発明によりファイル名と本文が関連していなければ検索によって目的のファイルを見つけることが出来ない、という状況が改善される。また、類似ファイルが作成されることによる混乱も避けられる。
【発明を実施するための最良の形態】
【０００７】
本発明はApache・PHP・ＭｙＳＱＬ・sennaのオープンシステムにより構成される。また、動作するためのプラットフォームとしてＵＮＩＸ（登録商標）系ＯＳをインストールしたＰＣを想定している。利用者ＰＣとプラットフォーム間は、ＴＣＰ/IP接続される必要がある。また、ローカルエリアネットワークによって接続されることが望ましい。
【実施例１】
【０００８】
利用者は所定のファイルアップロードフォームより、ファイルをアップロードする。アップロードできるファイル形式は原則的に制限されていないが、検索の対象となるファイル形式はWordドキュメント（米国Microsoft Corporationの登録商標）Excelシート（米国Microsoft Corporationの登録商標）PowerPointプレゼンテーション（米国Microsoft Corporationの登録商標）アクロバットPDF（アドビシステムズ社の登録商標）HTML、プレーンテキストに限られる。ファイル保存時の処理は、アップロード受付・本文部分の抽出・本文部分の格納・ファイルの格納という順になる。本文部分の抽出には、各形式に対してそれぞれＨＴＭL形式に変換するアプリケーションを利用する。ただしＨＴＭＬ・プレーンテキストは変換しない。利用者は目的の文書ファイルを探す際に、本文中に含まれるであろう単語や文節をキーワードとして指定することができる。本システムは与えられたキーワードを用いてＭｙＳQＬの持つ文章データに対し全文検索を行い、該当するファイルを抽出しリストにして利用者に返す。利用者はそのリストから目的のファイルを選んでダウンロードする。
【図面の簡単な説明】
【０００９】
【図１】利用者Aがアップロードしたファイルを、利用者Bが検索してダウンロードするまでの図である。まず、1で利用者Aがサーバにファイルをアップロードする。２でサーバはファイルのアップロードの受付、本文部分の抽出、本文部分の格納、ファイルの格納の順に作業を行う。この際、サーバはファイルから文書部分のみをＨＴＭLとして抽出し、元のファイルと関連付けて保存する。３で利用者Ｂがキーワードを用いてファイルを検索すると、４でサーバがそのキーワードをもとにファイル内の全文を検索し、該当するファイルのリストを作成する。５で利用者Bはそのリストを確認し、該当するファイルがあれば、６でそのファイルを指定してダウンロードする。
【図１】
2008287539.tif 000003
(57)【要約】【課題】非接触ＩＣカードリーダライタ装置を設置するにあたり、設置場所を自由に選べ、かつシステム全体のコストを下げる事を目的とする。【解決手段】非接触ＩＣカードリーダライタ装置と上位接続装置とを無線で接続する事で装置利用者の使い易い場所に非接触ＩＣカードリーダライタ装置を設置する事が可能となる。また、上位接続装置１台で複数の非接触ＩＣカードリーダライタを制御する事でシステム全体のコストを下げる事が可能になる。【選択図】図１
2008287612.tif 000002
【特許請求の範囲】
【請求項１】
非接触ＩＣカードと非接触通信を行なう非接触ＩＣカードリーダライタ端末装置とセンター等との接続を行なう上位接続装置からなる事を特徴とする情報端末装置。
【請求項２】
非接触ＩＣカードリーダライタ装置と上位接続装置との間のデータ送受を無線で行なう事を特徴とする情報端末装置。
【請求項３】
１台の上位接続装置で複数の非接触ＩＣカードリーダライタ装置を制御する事を特徴とする情報端末装置。
【発明の詳細な説明】
【技術分野】
【０００１】
本発明は非接触ＩＣカードで取引を行なう非接触ＩＣカードリーダライタ装置および上位接続装置に関する。
【背景技術】
【０００２】
従来の非接触ＩＣカードリーダライタ装置はセンター等に接続するための上位接続機能を内部に有しており各非接触ＩＣカードリーダライタ装置が個々にセンターと接続を行なっている。
【０００３】
またセンター接続するためのケーブルが非接触ＩＣカードリーダライタ端末毎に必要となる。
【０００４】
非接触ＩＣカードリーダライタ装置と他の装置を無線で接続する技術は例えば特開２００６−１９７０７１号公報がある。この公報では「第１の無線端末装置で発行された通信ＩＤを、第２の無線端末装置の有するＩＣカードに非接触通信により送信し、さらに第２の無線端末装置から第３の無線端末装置により送信し、該送信された通信ＩＤを用いて第１の無線端末装置との間で無線通信を行なう。」旨の記載がある。
【０００５】
【特許文献１】特開２００６−１９７０７１号公報
【発明の開示】
【発明が解決しようとする課題】
【０００６】
しかしながら、特許文献１に記載のシステムは各無線端末装置間を無線で接続する事に関しての物であり、複数の無線端末装置の情報を１台の無線端末装置でまとめる等の記載は無い。
【０００７】
本発明は上記課題に鑑みてなされた物であり、複数の非接触ＩＣカードリーダライタ装置と上位端末装置を無線で接続することで非接触ＩＣカードリーダライタ装置その物の簡素化および上位接続システムの簡素化を目的とする。
【課題を解決するための手段】
【０００８】
本発明の目的は、下記構成により達成する事ができる。
【０００９】
請求項１に係わる発明は、非接触ＩＣカードと非接触通信を行なう非接触ＩＣカードリーダライタ端末装置とセンター等との接続を行なう上位接続装置からなる事を特徴とする情報端末装置である。
【００１０】
請求項２に係わる発明は、非接触ＩＣカードリーダライタ装置と上位接続装置との間のデータ送受を無線で行なう事を特徴とする情報端末装置である。
【００１１】
請求項３に係わる発明は、１台の上位接続装置で複数の非接触ＩＣカードリーダライタ装置を制御する事を特徴とする情報端末装置である。
【発明の効果】
【００１２】
非接触ＩＣカードリーダライタ装置と上位接続装置とを無線で接続する事で装置利用者の使い易い場所に非接触ＩＣカードリーダライタ装置を設置する事が可能となる。また、上位接続装置１台で複数の非接触ＩＣカードリーダライタを制御できるためシステム全体のコストを下げる事が可能になる。
【発明を実施するための最良の形態】
【００１３】
図１により本発明の一実施における非接触ＩＣカードリーダライタ装置および上位接続装置の一例を説明する。
【００１４】
上位接続装置１００はネットワークＮと情報のやり取りを行なう通信制御部１０４、全体の制御を行なう制御部１０１、オペレータが各種設定を行なう操作部１０２、制御プログラムやワーク情報などを格納する記憶部１０３、非接触ＩＣカードリーダライタ装置２００と情報のやり取りを行なう無線通信部１０５から構成される。
【００１５】
非接触ＩＣカードリーダライタ装置２００は装置全体の制御を行なう制御部２０１、オペレーターが各種設定を行なう操作部２０２、制御プログラムやワーク情報などを格納する記憶部２０３、取引内容、状況等を表示する表示部２０４、上位接続装置１００と情報のやり取りを行なう無線通信部２０５、ＩＣカードと情報のやり取りを行なうリーダライタ部２０６、内部電力を供給する電池２０７より構成される。
【００１６】
非接触ＩＣカードリーダライタ装置２００はＩＣカード３００がリーダライタ部２０６にかざされた事を検出し非接触通信を行なう。通信により得た取引内容、内部進行状況に応じた表示を表示部２０４に表示し、上位接続が必要な情報は無線通信部２０５により上位接続装置１００へ送信する。
【００１７】
図２に示すとおり上位接続装置１００は複数台の非接触ＩＣカードリーダーライタ装置２００と無線通信が可能である。そして、前記のようにして送られてきた複数の情報を上位接続装置１００は時分割処理でネットワークへ接続し必要な処理を行なう。
【００１８】
また、本発明では非接触ＩＣカードリーダーライタ装置２００は駆動電力を電池２０７から供給する事により完全なコードレス装置としている。
【図面の簡単な説明】
【００１９】
【図１】本発明の一実施における非接触ＩＣカードリーダライタ装置および上位接続装置の構成図である。
【図２】本発明の一実施における複数台の非接触ＩＣカードリーダライタ装置および上位接続装置の構成図である。
【符号の説明】
【００２０】
１００…上位接続装置、１０１、２０１…制御部、１０２、２０２…操作部、１０３、２０３…記憶部、１０４…通信部、１０５、２０５…無線通信部、２００…非接触ＩＣカードリーダライタ装置、２０４…表示部、２０６…リーダライタ部、２０７…電池、３００…ＩＣカード、Ｎ…ネットワーク、Ｒ…無線通信、Ｆ…非接触通信。
【図１】
2008287612.tif 000003
【図２】
2008287612.tif 000004
(57)【要約】【課題】  本発明は、屋根軒先部における積雪の溶融力を促進することができる構造から成る装置を提供することを目的とする。【解決手段】  左右両側端部に水平杆２，２、左右両側端部及びその中間部に垂直杆３，３，３，３と傾斜杆４，４，４，４を設けた側面略直角三角形状に成る開口部５を形成し、前記垂直杆と傾斜杆との交点の左右両端部間に上支杆６を，前記垂直杆と水平杆との交点の左右両端部間に下支杆７をそれぞれ架設し、このように構成した本体の開口部の全周面に菱目状に編成した網体８を被套して成るものである。【選択図】    図２
2008291532.tif 000002
【特許請求の範囲】
【請求項１】
左右両側端部に水平杆、左右両側端部及びその中間部に垂直杆と傾斜杆を設けた側面略直角三角形状に成る開口部を形成し、前記垂直杆と傾斜杆との交点の左右両端部間に上支杆を架設し、前記垂直杆と水平杆との交点の左右両端部間に下支杆を架設し、このように構成した本体の開口部の全周面に菱目状に編成した網体を被套して成ることを特徴とする軒先用融雪装置。
【請求項２】
前記構成の側面略直角三角形状に成る開口部を複数個形成して成る請求項１に記載した軒先用融雪装置。
【発明の詳細な説明】
【技術分野】
【０００１】
本発明は、軒先用融雪装置に関するものである。
【背景技術】
【０００２】
本発明者はすでに、特願２００５−２００３６（特開２００６−２０７２３４）に係る融雪器を実施しているが、この器具の構造となる本体は、水平部と垂直部と傾斜部から成る側面略直角三角形状に形成した杆材から成る開口部とこの開口部の前記水平部と傾斜部の接点で接続する後方の基枠に設置する亀甲状の網体部から成るものであるため、屋根の勾配面から軒先に蓄積する降雪に対する溶融力に難点があった。    
【０００３】
【特許文献１】特開２００６−２０７２３４号公報
【発明の開示】
【発明が解決しようとする課題】
【０００４】
そこで、本発明は、前記先願発明の欠点を除去し、屋根軒先部における積雪の溶融力を格別に促進することができる構造から成る融雪装置を提供することを目的とするものである。
【課題を解決するための手段】
【０００５】
本発明は、左右両側端部に水平杆、左右両側端部及びその中間部に垂直杆と傾斜杆を設けた側面略直角三角形状に成る開口部を形成し、前記垂直杆と傾斜杆との交点の左右両端部間に上支杆を架設し、前記垂直杆と水平杆との交点の左右両端部間に下支杆を架設し、このように構成した本体の開口部の全周面に菱目状に編成した網体を被套して成るものである。
【発明の効果】
【０００６】
本発明にあっては、屋根の軒先部において設置する本体の側面略直角三角形状に成る開口部の全周面には、菱目状の網体を被套することによって網体を構成する線材の編成が高さと広さを十分有する立体状態になり、したがって空気の流通量はかなり大きくなるから、融雪速度を迅速化することができ、融点に達した積雪を絶えず振い落す塑性応力に優れ、融雪促進に大きく寄与することができ、所期の目的を達成する実用性に富む構造となっている。
【発明を実施するための最良の形態】
【０００７】
所定の勾配屋根の軒先箇所に設置した融雪器は、その側面略直角三角形状に形成した本体開口部の全周面にわたり菱目状に編成した網体を被套しているものであるから、本体開口部の内部及び編成箇所は空間が比較的多く形成された状態になっており、屋根面に降雪して蓄積した積雪に対する通気量が豊富かつ迅速となり、これによって積雪の溶融効率を促進するようになる。
【実施例】
【０００８】
屋根軒先部に設置する本体１は、左右両側端部の水平杆２，２、左右両側及びその中間位の垂直杆３，３，３，３と傾斜杆４，４，４，４から成る側面略直角三角形状に形成した杆材から成る開口部５と、この開口部の垂直杆３，３，３，３と傾斜杆４，４，４，４との交点の左右両端部間に架設した上支杆６及び垂直杆３，３，３，３と水平杆２，２，２，２との交点の左右両端部間に架設した下支杆７とから構成する。
【０００９】
このように構成した本体１の左右両側面部を除く正面部，底面部及び斜面部の全周面には、菱目状に編成された網体８を被套する。したがって、この菱目状網体８は平面状態の網体に成る亀甲状の網体とは違い、全体が立体的な表面状態を形成するようになる。
【００１０】
菱目状網体は亀甲状網体とは違い、網線材に結束点が無く、網線材の各からみ部分の周囲は浮上した状態を呈しているから、網体は全面的に立体化した状態を呈するように成っている。
【００１１】
９は前記下支杆７の後方部の網体８の底面部と斜面部の交点の左右両端部間に架設した後支杆で、この後支杆９及び前記下支杆７の左右両端部は本体１の左右両側端部に架設した前記水平杆２，２の一部に固定する。
【００１２】
１０は前記水平杆２，２の後端部２’，２’間に架設した基板で、この基板及び両水平杆は屋根面に設置される。
【００１３】
１１，１１は前記水平杆２，２の前端部に曲折して設けた掛止部で、この掛止部は軒先部適所に掛止めるようになる。
【００１４】
本発明の融雪器体の構成の例としては、側面略直角三角形状に成る開口部を有する本体と菱目状の網体との組み合せから成る一つ山の構造のものと、これと同一の組み合わせから成る二つ山の構造のものとを含む。
【００１５】
なお、図３において、ａは本発明にかかる菱目状の網体構成の一つ山から成る融雪器体であり、ｂは従来の亀甲状の網体編成による融雪器体を示し、これは側面略直角三角形状に成る開口部を二個形成した二つ山から成る器体を表現している。実験による両器体の融雪状態を対比図示した理由は、本発明の一つ山から成る器体と二つ山から成る旧型器体とでは、積雪に覆われた融雪器体の開口部内外を流通する空気量はいずれでもほぼ同じであることが判明しており、これにより本発明の一つ山の器体は単純な構成であるにもかかわらず、融雪効果は大きくかつコスト安になることが証明されたのである。
【図面の簡単な説明】
【００１６】
【図１】一実施例の全体の斜視図
【図２】図１要部の拡大斜視図
【図３】新旧両器体の使用状態を対比した斜視図
【符号の説明】
【００１７】
１                    本体
２，２，２，２       水平杆    
３，３，３，３        垂直杆    
４，４，４，４        傾斜杆
６                    上支杆
７                    下支杆
８                    菱目状網体
９                    後支杆
１０                  基板
１１，１１            掛止部
【図１】
2008291532.tif 000003
【図２】
2008291532.tif 000004
【図３】
2008291532.tif 000005